(57)【要約】【課題】延焼しにくい換気装置を低コストで提供することができる。【解決手段】浴室内の空気を浴室の外に排出する換気ファンと、換気ファンを駆動する換気モータと、換気モータを覆うモータカバーと、換気モータが設けられるモータ配置空間と、を備え、モータ配置空間は、換気モータと換気モータに接続される配線との接続領域を含む第一領域を有し、モータカバーは、第一領域を覆うカバー部を有し、カバー部は、不燃性または難燃性材料で構成される。【選択図】図７
2020165576.tif 000002
【特許請求の範囲】
【請求項１】
浴室内の空気を前記浴室の外に排出する換気ファンと、
前記換気ファンを駆動する換気モータと、
前記換気モータを覆うモータカバーと、
前記換気モータが設けられるモータ配置空間と、を備え、
前記モータ配置空間は、前記換気モータと前記換気モータに接続される配線との接続領域を含む第一領域を有し、
前記モータカバーは、前記第一領域を覆うカバー部を有し、
前記カバー部は、不燃性または難燃性材料で構成される、換気装置。
【請求項２】
前記モータ配置空間は、前記換気モータの周囲領域を含む第二領域を有し、
前記モータカバーは、前記第二領域を覆う押さえ部を有し、
前記押さえ部は、前記カバー部と異なる材料で構成される、請求項１に記載の換気装置。
【請求項３】
前記カバー部は、遮蔽構造を有する、
請求項１または２に記載の換気装置。
【請求項４】
前記押さえ部は、放熱構造を有する、
請求項２に記載の換気装置。
【発明の詳細な説明】
【技術分野】
【０００１】
本発明は、送風機のモータを保護するモータカバーを備える換気装置に関するものである。
【背景技術】
【０００２】
この種の換気装置には、浴室を換気、涼風、乾燥等する浴室暖房乾燥機の外部に接続されるものが知られている（例えば、特許文献１参照）。その換気装置は、浴室内の空気を、換気モータによって駆動する換気ファンを用いて屋外に排出する。
【先行技術文献】
【特許文献】
【０００３】
【特許文献１】特開２０１５−３９４６７号公報
【発明の概要】
【発明が解決しようとする課題】
【０００４】
上記のような換気装置は、通常天井裏に設置され、サニタリーゾーン内の空気を屋外に排出するため、屋外と連通している。天井裏に設置されているため、雨水や動物等による糞尿害等による液体が、換気装置内まで侵入するおそれがある。換気装置内に侵入した液体が、高圧電力を出力する換気モータに触れることで、発火の原因となるトラッキング現象を起こすことが懸念される。また、こうしたトラッキング現象は、特に換気モータ及び換気モータに接続される配線との接続領域周辺において発生しやすいことが確認されている。
【０００５】
このような背景から、換気モータの周辺部品は、延焼防止対策が求められている。
【０００６】
従来、換気モータは、樹脂材料で構成されたモータカバーによって封止されていた。モータカバーは、サイズが大きい場合もあり、そのような場合には延焼防止対策として不燃性または難燃性材料を多量に使用しなければならないため、コストが高くなるという課題があった。
【０００７】
本発明はこうした状況に鑑みてなされたものであり、延焼しにくい換気装置を低コストで提供することを目的とする。
【課題を解決するための手段】
【０００８】
上記課題を解決するために、本開示のある態様の換気装置は、浴室内の空気を前記浴室の外に排出する換気ファンと、前記換気ファンを駆動する換気モータと、前記換気モータを覆うモータカバーと、前記換気モータが設けられるモータ配置空間と、を備え、前記モータ配置空間は、前記換気モータと前記換気モータに接続される配線との接続領域を含む第一領域を有し、前記モータカバーは、前記第一領域を覆うカバー部を有し、前記カバー部は、不燃性または難燃性材料で構成される。
【発明の効果】
【０００９】
本発明によれば、延焼しにくい換気装置を低コストで提供することができる。
【図面の簡単な説明】
【００１０】
【図１】本発明の実施の形態に係る換気装置を浴室に設置した状態を示す斜視図である。
【図２】浴室暖房乾燥機と換気装置との側面構成図である。
【図３】モータカバーが取り付けられた換気装置を示す斜視図である。
【図４】第一領域を示す換気装置の斜視図である。
【図５】第二領域を示す換気装置の斜視図である。
【図６】モータカバーが取り付けられる際の換気装置を示す斜視図である。
【図７】カバー部を含むモータカバーを備えた換気装置を示す図である。
【発明を実施するための形態】
【００１１】
以下、換気装置を備えた浴室の一実施形態を図面に従って説明する。
【００１２】
図１は、本実施形態に係る換気装置４を浴室１に設置した斜視図を示す。
【００１３】
図１に示すように、浴室１の天井面２には浴室暖房乾燥機３が取付けられている。浴室暖房乾燥機３は、暖房モード及び換気モード等を有する装置である。暖房モードは、浴室１内の空気を吸入して熱交換した後に浴室１内に吹き出すことにより浴室１を暖房するモードである。換気モードは、吸入した浴室１内の湿気を有する空気を屋外に排気するモードである。ここで、浴室１の天井面２に配置される浴室暖房乾燥機３は、これに限定されず、浴室１内の空調を調整する冷暖房設備等でも良い。浴室暖房乾燥機３は、浴室１の空気を屋外に排出する換気装置４が接続されている。換気装置４は、天井裏に配置され、屋外と連通しているため、浴室１の空気を屋外に排出できる。
【００１４】
天井面２は、浴室暖房乾燥機３を点検するための点検口４２が設けられている。点検口４２は、浴室暖房乾燥機３及び換気装置４及び浴室外の脱衣室４０に備えられた操作パネル４１と浴室暖房乾燥機３とを接続する信号線４３等の電気回路系を保守点検、修理をする際に利用される開口である。作業者は、天井裏に上がらずに点検口４２から上半身を入れるだけで作業することができる。
【００１５】
図２は、浴室暖房乾燥機３と換気装置４との側面構成図を示す。
【００１６】
図２に示すように、浴室暖房乾燥機３は、本体ケース７と、パネル１０を備える。
【００１７】
パネル１０は、本体ケース７に取り付けられる。パネル１０は、浴室１に露出する位置に配置される。
【００１８】
パネル１０は、浴室吸込口８と送気口９を有する。浴室吸込口８および送気口９は、本体ケース７と連通する。
【００１９】
本体ケース７は、例えば方形状であって、耐熱性の良いＡＢＳ等の樹脂製である。本体ケース７内に、浴室吸込口８から吸い込んだ空気を送気口９まで送風する風路が構成される。
【００２０】
本体ケース７は内部に、第１熱交換器１１と、第２熱交換器１２と、循環ファン１３と、加湿部１４と、エリミネータ１５と、給水口１６とを備える。
【００２１】
第１熱交換器１１は、浴室吸込口８から吸い込んだ空気を温める加熱手段である。
【００２２】
第２熱交換器１２は、第１熱交換器１１で温めた空気をさらに温める補助加熱手段としての加熱手段である。
【００２３】
循環ファン１３は、浴室吸込口８から浴室１の空気を吸い込み、送気口９に向けて送風する送風手段である。循環ファン１３は、例えばシロッコファンである。
【００２４】
加湿部１４は、吸い込まれた空気を加湿する液体微細化手段である。加湿部１４は、風路上において循環ファン１３の下流側であって送気口９の上流側に設けられる。
【００２５】
エリミネータ１５は、加湿部１４と第２熱交換器１２すなわち送気口９側との間に設けられ、大粒の水滴を取り除く気液分離装置である。
【００２６】
給水口１６は、液体（水）を移送する給水管（図示せず）を介し、貯水部２３に液体を供給する。
【００２７】
加湿部１４は、回転手段２２と、貯水部２３と、を有する。
【００２８】
貯水部２３は、回転手段２２の下部に設けられる。給水口１６から貯水部２３に液体が供給される。
【００２９】
回転手段２２は、回転軸２５と、回転モータ２６と、揚水管２７と、回転板（図示せず）とを有する。回転軸２５は、上下方向に向けて配置される。回転モータ２６は、回転軸２５を回転させる。高速回転（例えば４，０００ｒ／ｍｉｎ）に適しているので、回転モータ２６はＤＣモータであることが好ましい。揚水管２７は、回転軸２５に固定され、回転することにより貯水部２３から水を吸上げる。回転板は、揚水管２７の外面の回転軸２５の軸方向に所定間隔で複数枚固定される。
【００３０】
なお、貯水部２３は、上方は方形状で最下部は水が溜まる凹状の窪みを形成しており、上方から下方に行くに従い傾斜状になっている。加湿部１４の揚水管２７の先端が前記窪み底面の近傍（６ｍｍ程度）に配置し水を吸い上げる構造となっている。
【００３１】
浴室暖房乾燥機３は、本体ケース７の点検口４２側の外部において、換気装置４とねじ止めにより接続されている。換気装置４は、浴室１の空気を屋外に排出する換気手段である。浴室暖房乾燥機３は、連通する開口形状（開口面積に相当）を調節するダンパ２８を備える。ダンパ２８は、本体ケース７から換気装置４へ流入する空気量を調整する。
【００３２】
換気装置４は、本体ケース７と連通する。さらに、換気装置４は、屋外に連通しているため、浴室１の空気を屋外へ換気することができる。
【００３３】
換気装置４は、換気ファン１７と、換気モータ１８と、モータ配置空間１９と、モータカバー５０とを備える。
【００３４】
換気ファン１７は、浴室１の空気を換気装置４に吸入し、吸入した浴室１の空気を換気装置４から屋外に排出する。ダンパ２８が開口している状態で換気モータ１８を運転させると、換気ファン１７が駆動し、浴室１の空気を屋外に排出する。また、ダンパ２８が閉口しているときに、換気モータ１８を運転させることは任意である。
【００３５】
モータ配置空間１９は、換気モータ１８が設けられる空間を示し、その周辺も含んでもよい。
【００３６】
モータカバー５０は、換気モータ１８を覆うように、外部から換気装置４に対して備えられる。
【００３７】
図３−５を用いて、換気装置４の詳細な構成を説明する。
【００３８】
図３は、モータカバー５０が取り付けられた換気装置４の斜視図を示す。図４は、第一領域６０を示す換気装置４の斜視図である。図５は、第二領域６１を示す換気装置４の斜視図である。
【００３９】
図３に示すように、換気装置４は、吸込口３２及び吹出口３３を有し、浴室１の空気等を屋外に排出する換気手段を備える。吸込口３２は、浴室１以外の、キッチンや脱衣室４０などの他室とも連通されており、これら他室からの空気を換気装置４にて排出する。吹出口３３は、屋外へ連通されており屋外に排出する。
【００４０】
ダンパ２８が開口している状態で換気モータ１８を運転させると、換気ファン１７により浴室１の空気が取り入れられ、吹出口３３から屋外に排気させる。
【００４１】
モータ配置空間１９は、換気モータ１８と換気モータ１８に接続される配線との接続領域を含む第一領域６０（図４参照）と、換気モータ１８の周囲の領域を含む第二領域６１（図５参照）を有する。
【００４２】
モータカバー５０は、カバー部５１と押さえ部５５を有する。
【００４３】
カバー部５１は、第一領域６０を密閉する遮蔽構造を有し、不燃性または難燃性材料で構成される。カバー部５１を構成する材料は、例えば不燃性または難燃性に優れているＵＬ９４５ＶＡ材料などである。
【００４４】
また、カバー部５１は、ねじ固定部５２及びねじ５３を備え、押さえ部５５に対してねじ止めされることによって、第一領域６０を覆う。ねじ固定部５２は、ねじ５３を通すための貫通孔を有し、カバー部５１を押さえ部５５に固定させるための個数、例えばカバー部５１が押さえ部５５に隣接する側の両端二箇所に設けられる。ねじ固定部５２にねじ５３を挿入することで、カバー部５１を押さえ部５５に対して接続する。カバー部５１と押さえ部５５を接続することで、モータカバー５０として一体となる。
【００４５】
押さえ部５５は、第二領域６１を一部覆う放熱構造を有し、例えば樹脂材料やプラスチック材料等の材料で構成され、カバー部５１とは異なる材料で構成される。押さえ部５５を構成する材料は、例えばＵＬ９４Ｖ−０材料などである。
【００４６】
図６は、モータカバー５０が取り付けられる際の換気装置４の斜視図を示す。
【００４７】
図６に示すように、換気装置４は、モータカバー５０を取り付ける前の状態では、換気モータ１８と、モータ配置空間１９と、配線取出し口５４が外部に露出している。
【００４８】
配線取出し口５４は、第一領域６０に存在し、配線の一方が換気モータ１８からでてきており、他方を、換気モータ１８を運転させるための電源等に接続できるように構成されている。また、配線取出し口５４は、モータカバー５０を取り付ける前において、一部または全部が外部に露出するモータ配置空間１９に配置されており、配置される位置は特に限定されない。
【００４９】
以下に、モータカバー５０を換気装置４に設置する方法について説明する。
【００５０】
まず、換気装置４に、第二領域６１を覆う押さえ部５５が取り付けられる。このとき、換気装置４は、第一領域６０における、配線と、換気モータ１８と、モータ配置空間１９と、配線取出し口５４とが露出した状態である。
【００５１】
次に、換気装置４に、第一領域６０を覆うカバー部５１が取り付けられる。ねじ５３をねじ固定部５２に挿入することで、カバー部５１と押さえ部５５を接続する。カバー部５１と押さえ部５５を接続することで、カバー部５１は、モータカバー５０の一部として構成される。これにより、換気装置４は、第一領域６０及び第二領域６１が、カバー部５１と押さえ部５５から構成されるモータカバー５０によって覆われる。
【００５２】
図７は、カバー部５１を含むモータカバー５０を備えた換気装置４の断面図を示す。
【００５３】
図７に示すように、モータ配置空間１９は、フレーム２９で仕切られる領域である。モータ配置空間１９には、防振ゴム３１が設けられる。防振ゴム３１は、換気モータ１８の回転による振動を吸収する。
【００５４】
本実施形態の換気装置４においては、第一領域６０が、不燃性または難燃性材料で構成されるカバー部５１によって覆われている。したがって、換気装置４は、第一領域６０において発火した場合でも、カバー部５１が第一領域６０を覆うので、第一領域６０から延焼しにくい。
【００５５】
本開示の一態様の概要は、次の通りである。換気装置４は、浴室１内の空気を浴室１の外に排出する換気ファン１７と、換気ファン１７を駆動する換気モータ１８と、換気モータ１８を覆うモータカバー５０と、換気モータ１８が設けられるモータ配置空間１９と、を備え、モータ配置空間１９は、換気モータ１８と換気モータ１８に接続される配線との接続領域を含む第一領域６０を有し、モータカバー５０は、第一領域６０を覆うカバー部５１を有し、カバー部５１は、不燃性または難燃性材料で構成される。
【００５６】
この構成によって、換気装置４は、特に換気モータ１８及び換気モータ１８に接続される配線との接続領域周辺である第一領域６０において、外部から侵入した液体が、高圧電力を出力する換気モータ１８に触れて発火を起こしても、不燃性または難燃性材料で構成されるカバー部５１が第一領域６０を覆うので、第一領域６０から延焼しにくい。
【００５７】
また、換気装置４は、モータ配置空間１９は、換気モータ１８の回転軸が位置する領域を含む第二領域６１を有し、モータカバー５０は、第二領域６１を覆う押さえ部５５を有し、押さえ部５５は、カバー部５１と異なる材料で構成される。
【００５８】
この構成によって、換気装置４は、モータカバー５０のサイズが大きい場合でも、発火のおそれがある第一領域６０に、不燃性または難燃性材料から構成されるカバー部５１を使用すればよく、第一領域６０以外の第二領域６１において、樹脂材料等から構成される押さえ部５５を使用できるため、モータカバー５０を低コストで提供することができる。
【００５９】
また、換気装置４は、カバー部５１が遮蔽構造を有する。
【００６０】
この構成によって、換気装置４は、第一領域６０において、外部から侵入した液体が、高圧電力を出力する換気モータ１８に触れて発火を起こしても、カバー部５１が第一領域６０を遮蔽する構造を有するので、第一領域６０で発生した発火の拡大を抑制することができる。
【００６１】
また、換気装置４は、押さえ部５５が放熱構造を有する。
【００６２】
この構成によって、換気装置４は、換気ファン１７の駆動及び換気モータ１８の運転による発熱を、換気装置４から外部へ放熱することができる。
【産業上の利用可能性】
【００６３】
以上、本発明について、実施例をもとに説明した。この実施例は例示であり、それらの各構成要素にいろいろな変形例が可能なこと、また、そうした変形例も本発明の範囲にあることは当業者に理解されるところである。
【符号の説明】
【００６４】
１    浴室
２    天井面
３    浴室暖房乾燥機
４    換気装置
７    本体ケース
８    浴室吸込口
９    送気口
１０    パネル
１１    第１熱交換器
１２    第２熱交換器
１３    循環ファン
１４    加湿部
１５    エリミネータ
１６    給水口
１７    換気ファン
１８    換気モータ
１９    モータ配置空間
２２    回転手段
２３    貯水部
２５    回転軸
２６    回転モータ
２７    揚水管
２８    ダンパ
２９    フレーム
３１    防振ゴム
３２    吸込口
３３    吹出口
４０    脱衣室
４１    操作パネル
４２    点検口
４３    信号線
５０    モータカバー
５１    カバー部
５２    ねじ固定部
５３    ねじ
５４    配線取出し口
５５    押さえ部
６０    第一領域
６１    第二領域
【図１】
2020165576.tif 000003
【図２】
2020165576.tif 000004
【図３】
2020165576.tif 000005
【図４】
2020165576.tif 000006
【図５】
2020165576.tif 000007
【図６】
2020165576.tif 000008
【図７】
2020165576.tif 000009